(57)【要約】【課題】  安眠効果に優れた硫化アリルの香りをより持続的且つ効果的に発散させることにより、安眠効果に優れた繊維製品及びその製造方法を提供する。【解決手段】  表面を被膜層で被覆して硫化アリル微粉末を混合した混合液に繊維製品の素材生地を含侵させ、当該素材生地の繊維の表面に前記硫化アリル微粉末を付着させ、当該素材生地を乾燥させることによって製造した繊維製品からは、より持続的且つ効果的に硫化アリルの香りが発散される。当該硫化アリルの香りにより、使用者は、優れた安眠効果を得ることができ、すっきりと起床することができる。【選択図】なし【特許請求の範囲】
【請求項１】
繊維の表面に硫化アリル微粉末を付着させてなることを特徴とする繊維製品。
【請求項２】
前記硫化アリル微粉末は、被膜層で被覆されている請求項１に記載の繊維製品。
【請求項３】
前記被膜層は、メラミンを素材として形成され、その被膜厚は、１μｍ〜３μｍであることを特徴とする請求項２に記載の繊維製品。
【請求項４】
前記硫化アリル微粉末は、平均粒径が３μｍ〜１０μｍである請求項１乃至３のいずれかに記載の繊維製品。
【請求項５】
上記繊維には、前記硫化アリル微粉末のほかに、粉末状の遠赤外線セラミック、抗菌材、保湿材、血行促進材、消炎材、香料、薬石及び天然鉱石から選ばれる少なくともいずれか一種以上が付着されている請求項１乃至４のいずれかに記載の繊維製品。  
【請求項６】
表面を被膜層で被覆して硫化アリル微粉末を形成する工程と、
水に水溶性ポリウレタンを０．１重量％〜０．５重量％の割合で溶解した溶液に、前記硫化アリル微粉末を混入して混合液を生成する工程と、
当該混合液に繊維製品の素材生地を含侵させ、当該生地素材の繊維の表面に前記硫化アリル微粉末を付着させる工程と、
前記素材生地を混合液から取り出し、所定の温度及び時間間隔で乾燥させる工程と、を含むことを特徴とする繊維製品の製造方法。
【請求項７】
前記混合液における硫化アリル微粉末の混合比率は、０．５〜５０．０重量％である請求項６に記載の繊維製品の製造方法。
【請求項８】
前記被膜層は、メラミンを素材として形成され、
乾燥工程の温度及び時間間隔は、１１０℃以下及び２０〜２５分間である請求項６又は７のいずれかに記載の繊維製品の製造方法。
【発明の詳細な説明】
【技術分野】
【０００１】
本発明は、硫化アリルの香りにより安眠効果に優れた繊維製品及びその製造方法に関する。
【背景技術】
【０００２】
睡眠は、人の脳と身体を休ませるだけでなく、ストレスの解消、精神的な安定又は病気の予防等に効果がある。そのため、十分な睡眠を得ることは、人が日常生活をおくる上で重要な要素となる。しかしながら、現在、多くの人が睡眠不足に悩まされ、日中の眠気で仕事や勉強が捗らなかったり、精神的な疾患を負ったりと、日常生活に支障をきたすことが多々ある。そんな中、安眠の効果を得るべく、睡眠誘導に効果のある芳香、例えば、ラベンダー、オレンジスート、ゼラニウム、ネロリ、ローズ等の香りを寝室に発散させるディフューザー等が提供されている。
【０００３】
また、睡眠という観点から、寝具、具体的には枕の内部に、前記クラリセージ、ゼラニウム、ネロリ、ローズ又はラベンダー等の香りのする芳香剤を収容し、当該枕から当該香りを発散させることにより、心理的に心地よい眠りを得ることのできる安眠枕が提供されている（特許文献１）。
【先行技術文献】
【特許文献】
【０００４】
【特許文献１】特開２００４−４９８３２号公報
【発明の概要】
【発明が解決しようとする課題】
【０００５】
しかしながら、従来のディフューザー及び特許文献１に記載の技術では、前記ラベンダー等の睡眠誘導に有効な芳香を発散させることにより、ある程度の安眠効果を得ることはできるものの、十分な効果を得ることができるとは言えない。すなわち、このような香りの中でも、特に安眠効果を有する成分は、タマネギ又はニンニク等に含まれる硫化アリルであると言われ、例えば、生のタマネギスライスを枕元等の身体の周りに載置して就寝するだけで、就寝者は、当該硫化アリルの香りによって睡眠誘導され、且つ、深い睡眠を得てすっきりと起床することができ、より優れた安眠効果を得ることができる。
【０００６】
ただ、このような生のタマネギスライスを日々就寝前に寝具近傍に用意するのは非効率であり、また、食品を無駄にするという感情的な問題もある。さらに、硫化アリルは、熱に弱く揮発しやすい性質を有するため、単に硫化アリルを枕等の寝具用繊維製品に噴射するだけでは安眠効果が持続せず、また、水に溶けやすいという性質も有するため、硫化アリルを噴射した前記寝具用繊維製品を洗濯等すると、すぐに安眠効果を失ってしまうという問題もあった。そのため、当該硫化アリルの安眠効果を効率よく発揮させるためには、当該硫化アリルの香りを持続的に発散させる必要があった。
【０００７】
また、硫化アリルは、タマネギやニンニク臭といった刺激臭を有するため、多量に発散させると逆に安眠効果を阻害する可能性もあり、一方で、少量すぎると安眠効果を得ることができないため、効果的に硫化アリルの香りによる安眠効果を得るには、硫化アリルの香りをバランスよく最適な量で発散させる必要があった。
【０００８】
そこで、本発明は、前記ラベンダー等の芳香よりも安眠効果に優れた硫化アリルの香りをより持続的且つ効果的に発散させることにより、安眠効果に優れた繊維製品及びその製造方法を提供することを課題とした。
【課題を解決するための手段】
【０００９】
上記課題を解決するために、本発明は次のように構成した。すなわち、本発明に係る繊維製品は、繊維の表面に硫化アリル微粉末を付着させてなることを特徴としている。
【００１０】
また、当該繊維製品は、好ましくは、前記硫化アリル微粉末が被膜層で被覆されていることを特徴としている。
【００１１】
また、当該繊維製品は、好ましくは、前記被膜層がメラミンを素材として形成され、その被膜厚は、１μｍ〜３μｍであることを特徴としている。
【００１２】
また、当該繊維製品は、好ましくは、前記硫化アリル微粉末が平均粒径が３μｍ〜１０μｍであることを特徴としている。
【００１３】
また、当該繊維製品は、好ましくは、上記繊維に、前記硫化アリル微粉末のほかに、粉末状の遠赤外線セラミック、抗菌材、保湿材、血行促進材、消炎材、香料、薬石及び天然鉱石から選ばれる少なくともいずれか一種以上が付着されていることを特徴としている。
【００１４】
また、当該繊維製品の製造方法は、表面を被膜層で被覆して硫化アリル微粉末を形成する工程と、水に水溶性ポリウレタンを０．１重量％〜０．５重量％の割合で溶解した溶液に、前記硫化アリル微粉末を混入して混合液を生成する工程と、当該混合液に繊維製品の素材生地を含侵させ、当該生地素材の繊維の表面に前記硫化アリル微粉末を付着させる工程と、前記素材生地を混合液から取り出し、所定の温度及び時間間隔で乾燥させる工程とを含むことを特徴としている。
【００１５】
また、当該繊維製品の製造方法は、前記混合液における硫化アリル微粉末の混合比率が０．５〜５０．０重量％であることを特徴としている。
【００１６】
さらに、当該繊維製品の製造方法は、好ましくは、前記被膜層がメラミンを素材として形成され、前記乾燥工程の温度及び時間間隔が１１０℃以下及び２０〜２５分間であることを特徴としている。
【発明の効果】
【００１７】
本発明に係る繊維製品によれば、繊維の表面に付着した硫化アリル微粉末から発散される硫化アリルの香りによって優れた安眠効果を得ることができる。
【００１８】
また、前記硫化アリル微粉末を被膜層で被覆して形成したことにより、前記繊維に付着した硫化アリル微粉末から硫化アリルの香りが急速に揮発するのを抑制し、また、当該硫化アリル微粉末を付着させた繊維製品を洗濯等した際、硫化アリルが繊維製品から流出するのを抑制することができ、当該硫化アリルの香りの発散を持続させることができる。
【００１９】
また、前記被膜層をメラミンで形成し、その被膜厚を１μｍ〜３μｍとすることにより、前記硫化アリルの香りの持続性を最適化することができる。また、メラミンは、被膜層の素材として入手が容易で、且つ、安価であるため、優れた生産性で被膜層を形成することができる。
【００２０】
また、前記硫化アリル微粉末の平均粒径を３μｍ〜１０μｍとすることにより、硫化アリル微粉末を素材生地の繊維に効率的に付着させることができる。すなわち、前記製造方法では、硫化アリル微粉末を含有した混合液に前記素材生地を含侵することで繊維の表面に硫化アリル微粉末を付着させるが、当該硫化アリル微粉末が素材生地の繊維の間を縫ってその内部にまで浸透させるには、当該硫化アリル微粉末の平均粒径を３μｍ〜１０μｍとするのがよい。
【００２１】
また、上記繊維に、前記硫化アリル微粉末のほかに、粉末状の遠赤外線セラミック、抗菌材、保湿材、血行促進材、消炎材、香料、薬石及び天然鉱石から選ばれる少なくともいずれか一種以上を付着することにより、硫化アリルの香りによる安眠効果のほかに、保温効果、抗菌効果、保湿効果、血行促進、消炎効果、硫化アリル以外の芳香によるリラックス効果又は鉱石による種々の効果を得ることができる。
【００２２】
また、前記繊維製品の製造方法によれば、被膜層を形成することで硫化アリルの揮発又は流出を抑制でき、また、前記混合液内に繊維製品の素材生地を含侵させ、且つ、当該素材生地を乾燥させることにより、前記素材生地の繊維の表面に硫化アリル微粉末を付着させることができる。
【００２３】
また、前記繊維に付着させる硫化アリル微粉末が多量であると硫化アリルの刺激臭によって逆に安眠効果が阻害される可能性があり、逆に、少量すぎると安眠効果が得られないため、前記混合液における硫化アリル微粉末の混合比率を０．５〜５０．０重量％とすることにより、前記繊維に硫化アリル微粉末をバランスよく最適な量で付着させることができ、効果的に硫化アリルの香りによる安眠効果を得ることができる。
【００２４】
さらに、前記被膜層をメラミンを素材として形成し、前記乾燥工程の温度及び時間間隔を１１０℃以下及び２０〜２５分間とする、すなわち、当該温度を低温に設定し、且つ、長時間に亘って前記混合液から取り出した素材生地を乾燥させることにより、当該被膜層によって硫化アリルを適切に保護し、当該硫化アリルの香りが効果的且つ持続的に発散できるように当該硫化アリル微粉末を前記繊維の表面に付着させることができる。
【発明を実施するための形態】
【００２５】
以下、本発明に係る繊維製品及びその製造方法を具体的に説明する。まず、本願発明に係る繊維製品は、その素材生地の繊維の表面に硫化アリル微粉末を付着させて構成されている。なお、当該繊維製品は、本発明の課題である優れた安眠効果を得るという観点から、枕、枕カバー、布団、布団カバー、シーツ、ベッドマット又はベッドマットのカバー等の寝具、或いは、就寝時に着用するパジャマ、寝巻、浴衣、ジャージ又はスウェット等の衣類であることが好ましく、その他、例えば、寝室用のカーテン又は布製の壁掛け等であってもよい。また、硫化アリルには、鎮静効果も有しているため、日常生活等で用いる衣類や布製品等の繊維製品であればどのようなものであってもよい。また、これら繊維製の最終製品だけでなく、当該繊維製の最終製品に用いる素材用繊維製品をも含むものである。
【００２６】
前記硫化アリル微粉末は、硫化アリルの表面に被膜層を設けて微粉末化したものであり、その平均粒径は、３μｍ〜１０μｍの範囲で形成されている。
【００２７】
前記被膜層は、メラミンを素材として構成され、その被膜厚は、１μｍ〜３μｍで形成されている。また、メラミンは、被膜層の素材として入手が容易で、且つ、安価であるため、優れた生産性で被膜層を形成することができる。なお、当該被膜層の素材は、メラミン以外でも当該被膜層を優れた生産性で形成することがでれば、どのような素材であってもよい。また、当該硫化アリル微粉末は、被膜層を設けずに前記繊維製品の素材生地の繊維の表面に付着させることも可能ではあるが、表面に被膜層を設けた方が効果的且つより持続的に硫化アリルの香りを発散させることができる。
【００２８】
本発明に係る繊維製品は、前記硫化アリル微粉末がその素材生地の繊維の表面に付着させられており、当該繊維製品、例えば、前記の枕、枕カバー、布団、布団カバー又はシーツ等を用いることにより、当該繊維製品から硫化アリルの香りが効果的且つより持続的に発散され、使用者は、より優れた安眠効果を得ることができる。
【００２９】
また、前記繊維の表面には、前記硫化アリル微粉末のほかに、遠赤外線セラミック、抗菌材、保湿材、血行促進材、消炎材、香料、薬石及びトルマリン等の天然鉱石から選ばれる少なくともいずれか一種以上を付着させることも可能である。これにより、前記安眠効果のほか、前記遠赤外線セラミックによる保温効果、抗菌材による抗菌効果、保湿材による保湿効果、血行促進材による血行促進の効果、消炎材による炎症を抑える効果、香料による硫化アリル以外の芳香によるリラックス効果、或いは、薬石及び天然鉱石による種々の効果を得ることができ、当該繊維製品を睡眠時に使用することにより、より一層の安眠効果を得ることができる。
【００３０】
次に、当該繊維製品の製造方法について具体的に説明する。
【００３１】
まず、メラミンを素材として１μｍ〜３μｍの被膜厚で被膜層を形成し、硫化アリルの香りを発散させる硫化アリル微粉末を形成する。
【００３２】
次に、水に水溶性ポリウレタン（水溶性ＰＵ）を０．１重量％〜０．５重量％の割合で攪拌及び溶解した溶液を生成し、当該溶液に前記硫化アリル微粉末を混入して混合液を生成する。この際、硫化アリル微粉末の混合液における硫化アリル微粉末の混合比率は、０．５〜５０．０重量％で、より好ましくは２．０重量％〜５．０重量％で、最適には３．０重量％である。
【００３３】
当該硫化アリル微粉末の混合比率に関し、本発明の発明者は、前記繊維製品として枕カバーを使用し、本発明に係る繊維製品の安眠効果とその刺激臭について、実際に睡眠試験を行った。その結果、前記混合液における硫化アリル微粉末の混合比率を１．０重量％にして製造した枕カバーと使用して就寝した場合、硫化アリルの香りによる刺激臭は気にならなかったが、前記混合比率を３．０重量％とした場合に比して安眠効果を得ることはできなかった。一方で、前記混合比率を５．０重量％以上にして製造した枕カバーを使用して就寝した場合、優れた安眠効果を得ることができたものの、起床後、硫化アリルの刺激臭が周囲の他人に気づかれるほどに身体に付着してしまった。そこで、前記混合比率を３．０重量％にして製造した枕カバーを使用して就寝すると、目覚めもよく優れた安眠効果を得ることができた上、硫化アリルの刺激臭も気にならなかった。
【００３４】
次に、前記混合液に繊維製品の素材生地を含侵させ、素材生地の繊維の表面に硫化アリル微粉末を付着させる。当該素材生地を混合液に含侵させると、当該素材生地に前記硫化アリル微粉末が混合液とともに入り込み、素材生地の繊維の表面に硫化アリル微粉末が付着する。なお、前記混合液に素材生地を含侵させる方法や時間間隔は特に限定されるものではなく、混合液の中で素材生地を通過させる程度でも十分に当該繊維の表面に硫化アリル微粉末を付着させることができる。
【００３５】
最後に、その繊維の表面に硫化アリル微粉末が付着した素材生地を混合液から取り出したのち、当該素材生地を乾燥機に入れ、所定の温度と時間間隔で乾燥させる。当該乾燥機の所定の温度は、１１０℃以下、より好ましくは９０℃〜１００℃に設定されており、前記メラミンからなる被膜層の耐熱できる低温で設定されている。また、当該素材生地を乾燥機によって乾燥させる所定の時間間隔は、２０〜２５分間の長時間で設定されている。
【００３６】
このようにして製造した繊維製品は、硫化アリルの香りを効果的且つより持続的に発散させるため、睡眠する際の枕、枕カバー、布団、布団カバー又はシーツ等として使用すると、使用者が優れた安眠効果を得ることができ、すっきりと起床することができる。
【産業上の利用可能性】
【００３７】
なお、上記繊維製品による硫化アリルの香りの発散は、前記のように生のタマネギスライスを枕元に載置等する場合に比べて、比較的持続性を有するものの、使用し続けることによりその効果は低下していく。そのため、枕カバー、布団カバー又はシーツのように、交換可能な製品に対して本発明に係る繊維製品を利用するのがよい。